(57)【要約】【課題】手軽で省エネルギー的な冷却方法を提供するものであり、柔軟性に富み、広い面積の冷却にも充分対応できる冷却技術を提供することを目的とする。【解決手段】防水性透濕膜で水室を囲った構造を有するシートを用い、蒸発に必要な水だけが自動的に供給され電力等は全く必要としない優れた省資源、省エネルギー的冷却法を提供する。【選択図】図１
2013013688.tif 000002
【特許請求の範囲】
【請求項１】
水が充填される水室の周囲の全部分又は一部分を防水性透濕膜で構成したことを特徴とする冷却シート。
【請求項２】
水室がその周囲の一部を非透水性膜で覆った構造である請求項２記載の冷却シート。
【請求項３】
非透水性膜がポリエチレンフィルムシートである請求項２記載の冷却シート。
【請求項４】
非透水性膜がポリ塩化ビニルフィルムシートである請求項２記載の冷却シート。
【請求項５】
非透水性膜がポリウレタンエラストマーフィルムシートである請求項２記載の冷却シート。
【請求項６】
表面に送風する装置を付帯した請求項１記載の冷却シート。
【発明の詳細な説明】
【技術分野】
【０００１】本発明は冷却シートに関するもので、更に詳しくは物体を省エネルギー的に冷却する冷却シートに係わるものである。
【技術背景】
【０００２】従来、物体の冷却には主に気体の断熱圧縮膨張による冷却法が採用されているが、これには電力その他の多大のエネルギーを必要とし装置も複雑化している。
【０００３】近年、温室効果ガスによる地球温暖化現象が顕著になり、特に夏季には猛暑日が連続し冷却機器の使用なしでは生活出来ない状態になっている。そして現在採用されている冷却機器は、ある種の気体の断熱圧縮膨張による吸熱作用を利用した機器が主流になっている。しかしこれらの機器は圧縮に電力が必要であり、装置が複雑化して高価であり、装置全体の重量が大きく手軽で省エネルギーであるとは言い難い。
社会全体としては電力の多量消費は温室効果ガスの多量排出にもつながり悪循環に陥る。
【０００４】従ってもう少し手軽で省エネルギー的な冷却方法が社会的に求められている。本発明はこの課題の解決を目的とするものである。
【０００５】従来より微細な空隙を有する素焼きの瓶等で中の水がしみ出て来た時の蒸発潜熱を利用し、中の水を冷却する考えはあったが、これらの材料は極めて硬く、且つ柔軟性に欠けるので広い面積を冷却する冷却シートには向かない。
【０００６】また、先行技術として特許文献１がある。この先行技術の発明は省エネルギー的な冷却方法として、表面側が通気性素材からなるシート、裏面側が合成樹脂シートで構成された包装材内に、吸水性ポリマーを充填してクーラーマットとしたものである。
用いられる水の吸収剤としてはポリアクリル酸ソーダ等の合成高分子吸収剤が知られているが、これらの材料を使用すると水膨張現象が著しく、包装材としての膜の物性が低下してしまうという大きな欠点がある。また水の拡散能力も期待した程ではない事が分かっている。
【先行技術文献】
【０００７】
【特許文献】
【特許文献】特開平１１−０２８０３４号公報
【発明の開示】
【発明が解決しようとする課題】
【０００８】本発明は、手軽で省エネルギー的な冷却方法を提供するものであり、効率的に優れたものであることは勿論、柔軟性に富み、広い面積の冷却にも充分対応できる冷却技術を提供することを目的とするものである。
【課題を解決するための手段】
【０００９】本発明第１の要旨は水拡散用基材に係わるものであり、基材に防水性透湿膜を使用する事である。ここに防水性透湿膜とはポリテトラフルオロエチレンを延伸加工した膜とポリウレタンポリマーを複合化して１平方センチメートルに１４億個の微細な孔を含む膜であり、防水性と透濕性を両立させていると言われている膜である。通常ナイロン等の生地でこの基材を挟んで使用する。防水性透濕膜は多数のメーカで製造されレインウエアなどの実用的な製品に加工されて販売されている。市場にはゴアテックス、エントラント、ドライテック、テミッシュなどのブランドで提供されている。この基材は水と接触しても水を液体として透過させないので水漏れの現象は観察されない。しかし水蒸気としては透過するので、外側の外気と接触している面では水蒸気が外気中に拡散している。従って巨視的には水が膜を拡散通過して蒸発しているのと同じである。この場合水は蒸発潜熱として周囲から気化熱を奪い冷却作用をもたらす。【００１０】本発明第２の要旨は、水が充填される水室の周囲の全部又は一部分を上記基材で構成した事を特徴とする冷却シートである。尚、水室の一部をポリエチレンフィルムやポリ塩化ビニルフィルムなどの非透水性膜で覆っても良く、表面に送風する装置を付帯しても良い。
【発明の効果】
【００１１】本発明第１の要旨の基材は柔軟な膜であるので広い面積の物体の冷却に適している。
更に外傷が発生しない限り水漏れの心配は全く無い。水蒸気の透過量が大きいので冷却性能に優れている。且つ蒸発した分だけ水は本発明第２の要旨である水室から常に供給されるので電力は必要としない。本発明の冷却法は省資源省エネルギー的冷却法であると云うことができる。
【図面の簡単な説明】
【００１２】
【図１】図１は本発明冷却シートの一形態の断面図である。
【発明を実施するための形態】
【００１３】本発明は水が水蒸気となり防水性透濕膜という基材を通過する時に周囲の熱を奪う現象を利用した冷却法を完成したもので、水は水蒸気となる時に蒸発潜熱あるいは気化熱と呼ばれる一定量の熱量を必要とすることは良く知られている。しかるに前記したような素焼きの瓶等で代表される基材は硬く柔軟性に欠けるので広い面積を冷却する冷却シートには向かなかった。これに対し防水性透濕膜という基材は柔軟な膜であるので広い面積の物体の冷却に適している。更に外傷が発生しない限り水漏れの心配は全くない。
【００１４】防水性透濕膜という基材を通過する水蒸気の量は膜の内外の水蒸気濃度の差によって決まり、濃度差が大きくなる程大きくなる。従って環境の温度が上昇し蒸発が活発になる程通過量は増し、温度が低下したり湿度が上昇すると蒸発が停滞して外側の膜部分の水蒸気濃度が高くなり水蒸気の通過量は減少する。また蒸発に必要な水は自動的に水室から供給されるので水の無駄な使用は避けられる。そして水蒸気の通過には自然力だけを使用しているので電力は全く必要としないという大きな特徴がある。従って本発明冷却法は省資源、省エネルギー的冷却法であるということができる。
【００１５】次に本発明冷却シートの構成要素である水室について述べる。水室は冷却シートにおいて蒸発冷却用の水を貯蔵し供給する重要な機能を担うものであり、水は外部から水室へ適宜あるいは常時注入される。そして水室の周囲を防水性透濕膜とういう基材で囲むか、あるいは周囲の一部をこの基材で構成し、他の部分を非透濕性の膜で囲んで水室を設ける。つまり二枚のこの基材の間に空間を設けてその空間を水室とする場合と、一枚のこの基材ともう一枚の非透濕性膜の間に空間を設けその空間を水室とする場合がある。勿論、何れの場合も防水性透濕膜という基材と水が接触していることが必須の要件になる。
【００１６】非透水性膜にはポリエチレンフィルムシート、ポリ塩化ビニルフィルムシートやポリウレタンエラストマーフィルムシート等の柔軟なシートの使用が好ましい。水室の周辺部分においては防水性透濕膜基材同士あるいは基材と非透水性膜を熱融着や両面接着テープあるいは接着剤を用いる方法等適当な方法で接着して冷却シートを製造する。
【００１７】水室一個の大きさをあまり大きくすると水を注入した場合水室が過度に膨れて思わしくないので、シート全体の広さを勘案して適当な大きさにすれば良い。また複数の水室を水路でつないで水室群を作ることも可能である。この水室群に対して少なくとも一個の活栓付き注入口を設ける必要がある。シートの使用開始時にこの注入口から水を給水し、使用後にここから残った水を排出することになる。
【００１８】適切に製造した本発明冷却シートを猛暑日を想定した３５℃の環境で測定したところ、シートの裏側の表面温度は３１℃まで低下していた。また環境温度が上昇する程水の蒸発量も増大するので温度差も大きくなることが確認された。しかも水の消費量は非常に少なく且つ水漏れがないので、一回の給水で長時間の冷却が可能であり、給水の頻度はおよそ一日一回の割合で充分であることが分かった。
【００１９】図１は本発明冷却シートの具体的構造を示したものであり、１は２枚の防水性透水膜、２は防水性透水膜の端面を一体化するための両面接着剤である。３は外径３ｍｍのポリエチレン細管であり、水の供給口である。４は栓であり、５は水室である。
【００２０】図１に示す本発明の冷却シートにあって、水室５から防水性透水膜を通過して出て来た水は大気中に蒸発して空気中に拡散して行く。従って冷却シートに接する空気には水蒸気の拡散層が形成される。この拡散層を風力で払拭してやれば冷却シート近傍の空気の水蒸気密度は低下し蒸発が促進される。その結果、冷却も促進されることとなる。勿論、冷却シートの表面に送風する装置（図示せず）を付帯することで、冷却を促進することが可能である。
【実施例】
【００２１】商品名ゴアテックスのレインウェアから縦１２ｃｍ．横１９．５ｃｍの防水性透濕膜の部分の四角形の基材を二枚切り出し図１で説明した構造で冷却シートの雛形を作った。
この基材の周縁に幅１．５ｃｍ．厚さ０．０８ｍｍの不織布を支持体としたアクリル樹脂系の両面接着テープ２を貼り二枚の基材シートの内面が向き合う様に重ねて張り合わせた。従って、縦９ｃｍ．横１６．５ｃｍの四角形の水室５が形成される。【００２２】この冷却シートに約５０ｇの水を図１に示したポリエチレン細管３を通して注入し密栓４した。次にこの冷却シートを自然界に相似するように循環風量を制限した３５℃の恒温装置の中に静置した。冷却シートの裏側下面の表面温度は約２時間後に３０℃で平衡に達し、表側上面の温度は約４時間後に３１．５℃で平衡に達した。冷却シートの表面温度は恒温装置内の風量に左右され、冷却性能の絶対評価とはならないが水が蒸発しているのは確実である。
【産業上の利用可能性】
【００２３】近年、地球温暖化現象が顕著になり夏季の猛暑日日数がとみに増加している。この猛暑を凌ぐために益々電力の使用が増加し、それに比例して温室効果ガス排出も増加し地球温暖化が進行するという社会的なジレンマに陥っている。本発明冷却シートによる冷却は温室効果ガスを排出しない省エネルギー的、省資源的な冷却法であり、その実用性は顕著である。【００２４】本冷却シートの用途としては、建築物の屋根や壁の冷却が先ず考えられる。具体的には、ビル屋上、一般住居の屋根や壁、倉庫、簡易仮設住宅並びに簡易テントの屋根部分、各種家畜小屋の屋根部分の冷却である。また自動車や電車などの各種運送車両屋根部分の冷却もある。その他家電製品の節電を目的としてエアコンの室外機、冷蔵庫の放熱板の冷却等がある。更には柔軟性に優れ軽量であることから、作業服、ベスト、帽子などの服飾関係の用途も考えられる。その他、コンピューター、パソコン等の各種計器の冷却にも適用可能である。
【符号の説明】
【００２５】１．防水性透濕膜
２．両面接着剤
３．ポリエチレン細管（外径３ｍｍ）
４．栓
５．水室
【図１】
2013013688.tif 000003